(57)【要約】【課題】携帯電子機器と副電子機器との間で通信不能な状況が続いた場合の無駄な電力消費を抑える。【解決手段】置き忘れ防止システムは、携帯電話機１２とエントリー装置１４とをセットで使用する。エントリー装置１４は、通信ユニット１４２からＩＤコードを含むエントリー信号を送信し、携帯電話機１２側では、通信ユニット１２２でこれを受信すると、ＣＰＵ１２０でＩＤコードを復号する。通常の受信感度でＩＤコードを復号できない場合、ＣＰＵ１２０は通信ユニット１２２の受信感度を最大化して受信を試みる。それでもＩＤコードを復号できない場合、通信ユニット１２２の受信感度を最低に切り換えて電力消費を抑える。【選択図】図２
2009009197.tif 000002
【特許請求の範囲】
【請求項１】
固有の識別情報を有し、使用者が携帯して主に使用する携帯電子機器と、前記携帯電子機器と対になって同一の使用者に携帯され、前記携帯電子機器に対してコード化された前記識別情報を含む固有信号を送信する送信回路を有した副電子機器とを備え、前記副電子機器からの固有信号に基づき、使用者による前記携帯電子機器の置き忘れ対策として所定の警告動作を実行する置き忘れ対策システムの警告動作装置において、
前記携帯電子機器は、
前記副電子機器からの固有信号を受信するためのアンテナと、
前記アンテナを通じて受信した前記固有信号を復調する受信回路と、
前記受信回路で復調された固有信号に含まれる前記識別情報を復号するデコーダと、
前記受信回路の受信感度を調整する受信感度制御回路と、
経過時間を計測するためのタイマ回路と、
前記警告動作を実行するための警告動作手段とを備えており、
前記受信感度制御回路は、
前記受信回路を標準的な受信感度に調整している標準感度状態において前記デコーダにより前記識別情報を復号できない状態が所定時間継続した場合、前記受信回路の受信感度を前記標準感度状態よりも高く調整した高感度状態に切り換え、
前記高感度状態において前記デコーダにより前記識別情報を復号できない状態が規定時間継続した場合、前記受信回路の受信感度を前記標準感度状態よりも低く調整した低感度状態に切り換えることを特徴とする置き忘れ対策システムの警告動作装置。
【請求項２】
請求項１に記載の置き忘れ対策システムの警告動作装置において、
前記受信感度制御回路は、
前記高感度状態又は前記低感度状態のいずれかで前記デコーダにより前記識別情報を復号できた場合、前記受信回路の受信感度を前記標準感度状態に復帰させることを特徴とする置き忘れ対策システムの警告動作装置。
【請求項３】
請求項１又は２に記載の置き忘れ対策システムの警告動作装置において、
前記携帯電子機器は、
前記デコーダにより前記識別情報を復号できた場合、その旨を表す確認信号を前記副電子機器に対して送信する確認送信回路をさらに備えており、
前記副電子機器は、
前記固有信号を変調して前記送信回路から送信するアンテナと、
前記送信回路の送信出力を調整する送信出力制御回路と、
前記確認送信回路からの確認信号を受信する副受信回路とをさらに備えており、
前記送信出力制御回路は、
前記送信回路を標準的な送信出力に調整している標準出力状態において前記副受信回路により前記確認信号を受信できない状態が所定時間継続した場合、前記送信回路の送信出力を前記標準出力状態よりも高く調整した高出力状態に切り換え、
前記高出力状態において前記副受信回路により前記確認信号を受信できない状態が規定時間継続した場合、前記送信回路の送信出力を前記標準出力状態よりも低く調整した低出力状態に切り換えることを特徴とする置き忘れ対策システムの警告動作装置。
【請求項４】
請求項３に記載の置き忘れ対策システムの警告動作装置において、
前記副電子機器の前記送信出力制御回路は、
前記高出力状態又は前記低出力状態のいずれかで前記副受信回路により前記確認信号を受信できた場合、前記送信回路の送信出力を前記標準出力状態に復帰させることを特徴とする置き忘れ対策システムの警告動作装置。
【請求項５】
請求項３又は４に記載の置き忘れ対策システムの警告動作装置において、
前記副電子機器は、
前記送信回路から送信するべき前記固有信号を生成する信号生成手段をさらに備えており、
前記信号生成手段は、
前記副受信回路により前記確認信号が受信されている場合、前記識別情報とともに所定のオプション情報を含む態様で前記固有信号を生成し、
前記副受信回路により前記確認信号を受信できない状態が所定時間継続した場合、前記オプション情報を含まない態様で前記固有信号を生成することを特徴とする置き忘れ対策システムの警告動作装置。
【請求項６】
請求項５に記載の置き忘れ対策システムの警告動作装置において、
前記信号生成手段は、
前記オプション情報を含まない態様により前記固有信号を生成している状態で前記副受信回路により前記確認信号を受信できた場合、前記識別情報とともに前記オプション情報を含む態様で前記固有信号を生成する状態に復帰することを特徴とする置き忘れ対策システムの警告動作装置。
【発明の詳細な説明】
【技術分野】
【０００１】
本発明は、外出先等に携帯して使用される携帯電子機器の置き忘れ対策システムに係り、特に置き忘れ対策としての警告動作を実行することができる置き忘れ対策システムの警告動作装置に関する。
【背景技術】
【０００２】
従来、携帯電子機器の紛失や盗難を防止する先行技術として、携帯電子機器に専用通信機器を組み合わせた紛失・盗難防止システムが知られている（例えば、特許文献１参照。）。この紛失・盗難防止システムは、携帯端末と専用通信機器とをセットで構成しておき、携帯端末と専用通信機器との間で互いのＩＤを双方向の無線通信によって確認し合うものである。
【０００３】
先行技術において、携帯端末及び専用通信機器は、それぞれ無線信号による通信可能距離が限定されている。このため、紛失や盗難等で携帯端末が所有者から離れ、通信可能距離の圏外に出た場合、両者間で交信する無線信号が途絶えることになる。この場合、携帯端末及び専用通信機器は、各通信ユニットで相手方のＩＤを受信できなったことを判断し、それぞれ警告を発することで携帯端末の紛失・盗難を所有者に知らせることができる。
【特許文献１】特開２００２−１５９０５６号公報
【発明の開示】
【発明が解決しようとする課題】
【０００４】
上記の先行技術では、通信可能距離よりも離れた場合は相互に通信不能となり、相手方のＩＤを受信できなくなるので、それによって警告を発することができる。
【０００５】
しかしながら、双方で受信できない状態が続く場合、それぞれが通信可能距離から僅かに離れているだけであるのか、それとも全くの通信圏外にあるのかが不明であるため、双方で常に一定の受信動作を行っていると、両方とも電力を無駄に消費するおそれがある。
【０００６】
例えば、携帯端末の紛失や盗難、あるいは置き忘れ等で双方が完全に通信圏外にあるにもかかわらず、それぞれが一定の受信動作を常に行っていると、それだけ無駄な電力を消費してしまう。そうかといって、通信不能になった途端に全く受信動作を停止してしまうと、所有者が少しの間だけ携帯端末から僅かに離れただけで通信が中断されてしまうため、その後にシステムとして機能しなくなってしまうという問題がある。
【０００７】
そこで本発明は、通信不能な状況が続いた場合の無駄な電力消費を抑えるとともに、通信可能距離から僅かに離れただけの状況から速やかに復帰できる技術の提供を課題とする。
【課題を解決するための手段】
【０００８】
本発明は、固有の識別情報を有し、使用者が携帯して主に使用する携帯電子機器と、携帯電子機器と対になって同一の使用者に携帯され、携帯電子機器に対してコード化された識別情報を含む固有信号を送信する送信回路を有した副電子機器とを備え、副電子機器からの固有信号に基づき、使用者による携帯電子機器の置き忘れ対策として所定の警告動作を実行する置き忘れ対策システムの警告動作装置である。なお本発明は、携帯電子機器の置き忘れを未然に防止するだけでなく、置き忘れが発生した後でも有効に機能する。
【０００９】
そして上記の課題を解決するため、本発明に係る携帯電子機器は、副電子機器からの固有信号を受信するためのアンテナと、このアンテナを通じて受信した固有信号を復調する受信回路と、受信回路で復調された固有信号に含まれる識別情報を復号するデコーダと、受信回路の受信感度を調整する受信感度制御回路と、経過時間を計測するためのタイマ回路と、システムとしての警告動作を実行するための警告動作手段とを備えている。
【００１０】
上記の受信感度制御回路は、受信回路を標準的な受信感度に調整している標準感度状態においてデコーダにより識別情報を復号できない状態が所定時間継続した場合、受信回路の受信感度を標準感度状態よりも高く調整した高感度状態に切り換える。そして受信感度制御手段は、高感度状態においてデコーダにより識別情報を復号できない状態が規定時間継続した場合、受信回路の受信感度を標準感度状態よりも低く調整した低感度状態に切り換えるものである。
【００１１】
さらに、受信感度制御回路は、高感度状態又は低感度状態のいずれかでデコーダにより識別情報を復号できた場合、受信回路の受信感度を標準感度状態に復帰させる。
【００１２】
本発明は、以下のように複数の状況を通じて多様に機能する。
（１）通常は受信回路の感度を標準的な状態に調整し、識別情報を含む固有信号を携帯電子機器で受信する。このとき、標準の受信感度を最低限度の通信状態を確立できる程度に設定することで、通常時の消費電力を極小化することができる。
【００１３】
（２）標準の感度で識別情報を復号できなければ、受信回路の感度を標準より高くし、必要な受信感度を確保することができる。この段階で識別情報を復号することができれば、後述の（４）で通信状態を回復することができる。
【００１４】
（３）受信回路の感度を高くしてもなお識別情報を復号できないときは、携帯電子機器と副電子機器とが完全に通信可能範囲の外にある可能性が高い。この場合、受信回路の感度を標準よりも低くすることで、標準的な感度のまま延々と受信動作が継続するのを防止し、その分の無駄な消費電力を抑えることができる。
【００１５】
（４）上記（２）の受信回路の感度を高くした状態で識別信号を復号できた場合、もしくは、上記（３）の受信回路の感度を低くした後に識別情報を復号できた場合、いずれも受信回路を標準の感度に復帰させて通信を実行する。
【００１６】
例えば、それまで携帯電子機器と副電子機器とが標準の感度で受信できる範囲から僅かに外れていたものの、両者の距離が近接して互いに通信可能な範囲内に入れば、あとは標準の感度でも通常の通信が可能になる。あるいは、使用者が携帯電子機器を置き忘れていたが、その後に気付いて携帯電子機器を取りに戻った場合も、携帯電子機器と副電子機器との距離が近接するので、低感度状態でも通信可能となる。これらの場合、標準の感度に復帰させることで、速やかに通常の通信状態を取り戻すことができる。また、たとえ識別情報を復号できなくても、完全に受信動作を停止しないため、置き忘れに気付いた使用者が携帯電子機器を取りに戻ってきたときの受信がスムーズに行われる。
【００１７】
なお、第１の発明に係る携帯電子機器は警告動作手段を備えており、警告動作手段は、最終的にデコーダが識別情報を復号できなくなると、所定の警告動作を実行する。警告動作としては、例えば警告信号を出力し、それによって音や光を発して周囲に注意を喚起するものの他に、携帯電子機器に対する操作を無効化するもの等がある。
【００１８】
また本発明において、携帯電子機器と副電子機器との間で双方向通信を行う場合は以下の構成を有する。
【００１９】
すなわち、上記の携帯電子機器は、デコーダにより識別情報を復号できた場合、その旨を表す確認信号を副電子機器に対して送信する確認送信回路をさらに備えている。また副電子機器は、固有信号を変調して前記送信回路から送信するアンテナと、送信回路の送信出力を調整する送信出力制御回路と、確認送信回路からの確認信号を受信する副受信回路とをさらに備えている。
【００２０】
この場合、上記の送信出力制御回路は、送信回路を標準的な送信出力に調整している標準出力状態において副受信回路により確認信号を受信できない状態が所定時間継続した場合、送信回路の送信出力を標準出力状態よりも高く調整した高出力状態に切り換え、高出力状態において副受信回路により確認信号を受信できない状態が規定時間継続した場合、送信回路の送信出力を標準出力状態よりも低く調整した低出力状態に切り換える。
【００２１】
さらに副電子機器の送信出力制御回路は、高出力状態又は低出力状態のいずれかで副受信回路により確認信号を受信できた場合、送信回路の送信出力を標準出力状態に復帰させる。
【００２２】
本発明では双方向通信を行う構成を有する場合、以下のように複数の状況を通じて多様に機能する。
【００２３】
〔１〕通常は副電子機器において送信回路の出力を標準的な状態に調整し、そこから識別情報を含む固有信号を携帯電子機器に送信する。携帯電子機器で識別情報を復号できた場合、その旨を表す確認信号を副電子機器に送信する。このとき、少なくとも副電子機器では、標準の送信出力を最低限度の通信状態を確立できる程度に設定することで、通常時の消費電力を極小化することができる。
【００２４】
〔２〕標準の出力で送信した識別情報を携帯電子機器では復号できなくなり、それゆえ副電子機器において確認信号を受信できなくなれば、送信回路の出力を標準より高くし、必要な送信出力を確保することができる。この段階で携帯電子機器が識別情報を復号することができ、その結果、副電子機器において確認信号を受信できれば、後述の〔４〕で通信状態を回復することができる。
【００２５】
〔３〕送信回路の出力を高くしてもなお、携帯電子機器で識別情報を復号できず、それゆえ副電子機器において確認信号を受信できないときは、携帯電子機器と副電子機器とが完全に通信可能範囲の外にある可能性が高い。この場合、送信回路の出力を標準よりも低くすることで、標準的な送信出力のまま延々と送信動作が継続するのを防止し、その分の無駄な消費電力を抑えることができる。
【００２６】
〔４〕上記〔２〕の送信出力を高くした状態で確認信号を受信できた場合、もしくは、上記〔３〕の送信出力を低くした後に確認信号を受信できた場合、いずれも送信回路を標準の出力に復帰させて通信を実行する。
【００２７】
本発明において、副電子機器は、送信回路から送信するべき固有信号を生成する信号生成手段をさらに備えていてもよい。この場合、信号生成手段は、副受信回路により確認信号が受信されている場合、識別情報とともに所定のオプション情報を含む態様で固有信号を生成し、副受信回路により確認信号を受信できない状態が所定時間継続した場合、オプション情報を含まない態様で固有信号を生成することができる。
【００２８】
上記の構成によれば、送信するべき固有信号にオプション情報を含める場合と、これを含めない場合とで情報量が異なることから、いずれの態様で固有信号を送信するかによって通信仕様が異なったものとなる。この場合、送信するべき固有信号の情報量を少なくすることで通常よりも帯域幅を狭くし、信号の電界強度を相対的に高めることができるので、電力によって受信回路の感度を高めなくとも、見かけ上の感度を向上することができる。
【００２９】
さらに信号生成手段は、オプション情報を含まない態様により固有信号を生成している状態で副受信回路により確認信号を受信できた場合、識別情報とともにオプション情報を含む態様で固有信号を生成する状態に復帰するものとする。
【００３０】
これにより、本発明は以下のように複数の状況を通じて多様に機能することになる。
【００３１】
［１］通常は、副電子機器から識別情報とオプション情報とを含む固有信号を送信する。このときの固有信号は、情報量に応じた通常の通信帯域幅で送信される。
【００３２】
［２］識別情報を携帯電子機器では復号できなくなり、それゆえ副電子機器において確認信号を受信できなくなれば、オプション情報を除いた固有情報を送信する。これにより、情報量を削減した分だけ通信帯域幅を狭くすることで、携帯電子機器では見かけ上の感度を向上することができる。
［３］上記［２］の段階で携帯電子機器が識別情報を復号することができ、その結果、副電子機器において確認信号を受信できれば、情報量を標準に復帰させて通信を実行する。
【発明の効果】
【００３３】
本発明によれば、通常の通信状態で必要な電力を最低限に抑えつつ、通信が不能になった場合、先ずはシステムとしての通信能力（受信感度又は送信出力）を向上することで、一時的な距離の開きによる通信不良を早期に回復させることができる。その上で、最終的に通信が確立されなかった場合は通信能力を通常よりも引き下げることで、延々と通信動作に電力が消費される事態を回避し、電力消費量を最少に抑えることができる。
【発明を実施するための最良の形態】
【００３４】
以下、本発明の実施形態について図面を参照しながら説明する。
本発明の置き忘れ対策システムの警告動作装置は、例えば一般に広く普及した携帯電子機器である携帯電話機の置き忘れ対策として好適に警告動作を行うことができる。ただし、携帯電子機器は携帯電話機に限らず、携帯型情報端末、ノート型パソコン、携帯型電子ゲーム機等であってもよい。
【００３５】
〔システムの概要〕
図１は、置き忘れ対策システムを構成する機器の組み合わせ例を示す外観図である。図１では便宜上、置き忘れ対策システム全体に参照符号１０を付して示している。本実施形態の置き忘れ対策システム１０には、携帯電話機１２及びエントリー装置１４が含まれる。携帯電話機１２は、例えばキー操作によって音声通話や情報通信等が可能な携帯電子機器であり、ユーザが携帯して主に使用するものである。
【００３６】
このうち携帯電話機１２には、固有の識別情報としてのＩＤ（Ｉｄｅｎｔｉｆｉｃａｔｉｏｎ）コードが割り当てられている。ＩＤコードは、例えば携帯電話機１２に内蔵された不揮発性メモリや専用ＩＣ等の記憶装置に記憶されている。あるいは、セキュリティチップのような個別にＩＤコードを有した中央演算処理装置（ＣＰＵ）を携帯電話機１２に用いれば、そのＩＤコードによって携帯電話機１２に固有の識別情報が割り当てられる。
【００３７】
一方のエントリー装置１４は、携帯電話機１２と対（ペア）になる副電子機器であり、携帯電話機１２は、これと対になるエントリー装置１４とセットでユーザに使用されることを前提としている。具体的には、エントリー装置１４は携帯電話機１２に対して固有のエントリー信号（固有信号）を送信する機能を有しており、このエントリー信号には対応する携帯電話機１２のＩＤコードが含まれている。
【００３８】
置き忘れ対策システム１０は、携帯電話機１２の正規所有者であるユーザがエントリー装置１４をセットで所持し、両者を互いに近接させて使用することを基本的な使用形態としている。図１に示されるように、エントリー装置１４を例えばキーホルダ型の形態として、ユーザの持ち歩きの利便性を向上することが好ましい。あるいは、エントリー装置１４をカード型や首下げ型の形態にしてもよい。なおエントリー装置１４は、常に携帯電話機１２の近くに置いておく必要はなく、例えばユーザが着衣とともに身につけていたり、手持ちのバッグに入れて身近に置いていたりすればよい。
【００３９】
〔通常時の動作〕
通常、ユーザが携帯電話機１２とエントリー装置１４とをセットで持ち歩いている場合、携帯電話機１２とエントリー装置１４とがユーザの身近に存在するため、両者間で良好に無線通信を行うことができる。この状態で、エントリー装置１４から送信されるエントリー信号を携帯電話機１２が受信し、そこから抽出（デコード）したＩＤコードが自己のＩＤコードと一致した場合、携帯電話機１２はユーザのキー操作に応じた通常動作を可能とする。なお、ここでいう通常動作には、音声通話や情報通信の他に、その表示画面１２ａを通じてアドレス帳や通信履歴、電子メール文書、画像等を表示することも含まれる。
【００４０】
〔警告動作装置の機能〕
本実施形態の置き忘れ対策システム１０では、携帯電話機１２に警告動作装置が組み込まれている。警告動作装置は、ユーザが携帯電話機１２を置き忘れそうになったり、あるいは、完全に携帯電話機１２を置き忘れて物理的に離れた場所に移動してしまったりした場合に、例えば自動的にキー操作をロックしたり（キーロック）、警報音を出力したり、バイブレータを作動させたり、ＬＥＤ（発光ダイオード）を点灯・点滅させたりする機能を有している。これらの機能は、携帯電話機１２の置き忘れ対策として実行される。
【００４１】
一般的に、ユーザが携帯電話機１２を完全に置き忘れたときの対策としては、上記のキーロック機能が有効である。すなわち、携帯電話機１２は、エントリー装置１４からのエントリー信号を受信できない場合や、エントリー信号を受信できたものの、このエントリー信号に含まれるＩＤコードが自己のＩＤコードと一致しない場合、キーロック機能を働かせる。このようなキーロック機能によれば、携帯電話機１２は、本来のユーザでない者によってキー操作がなされることを阻止することができる。これにより、携帯電話機１２のメモリ内にあるアドレス帳や通信履歴、メール文書、画像等が他人に覗き見されたり、他人によって通話発信やメール送信がされたりすることがなくなる。
【００４２】
なお、携帯電話機１２が受信したエントリー信号に含まれるＩＤコードが自己のＩＤコードと一致しない場合とは、携帯電話機１２の近くに他人の携帯電話機（ＩＤコードが異なるもの）と対になる他のエントリー装置が存在しており、そのエントリー装置からエントリー信号を受信した場合のことである。この場合、携帯電話機１２においてＩＤコードが一致しないことから、他人のエントリー装置によって携帯電話機１２のキー操作ロックが解除されてしまうことはない。
【００４３】
加えて本実施形態では、ユーザが携帯電話機１２を置き忘れそうになった場合の対策として、上記のように警告音を出力したり、バイブレータを作動させたりする機能を有している。ユーザが携帯電話機１２を置き忘れそうになった場合とは、例えば携帯電話機１２だけを置いたままにして、その場所を立ち去ろうとした場合が該当する。このような状況で、携帯電話機１２から警告音を出力したり、バイブレータを作動させたり、ＬＥＤを点灯・点滅させたりすることにより、ユーザに注意を喚起することができる。この場合、警告音やバイブレータによる振動、ＬＥＤの発光・点滅にユーザが気づくことで、「置き忘れの未然防止」という対策になる。
【００４４】
図２は、携帯電話機１２及びエントリー装置１４の各構成例を示すブロック図である。以下、それぞれの構成例について説明する。
【００４５】
エントリー装置１４は、ＣＰＵ１４０、通信ユニット１４２、タイマ回路１４４及びバッテリ１４８を内蔵している。また通信ユニット１４２には、例えば内蔵型のアンテナ１５０が付属している。
【００４６】
ＣＰＵ１４０は、例えば図示しないＣＰＵコアとともにＲＯＭ１４０ａ、ＲＡＭ１４０ｂ、ＥＥＰＲＯＭ１４０ｃ等の半導体メモリを内蔵している。ＥＥＰＲＯＭ１４０ｃは書き換え可能な不揮発性メモリであり、このＥＥＰＲＯＭ１４０ｃは、対になるべき携帯電話機１２のＩＤコード及びオプションコードに関する情報を記憶している。
【００４７】
携帯電話機１２には、その製造時に個体別でユニークなＩＤコードが割り当てられており、これと対になるエントリー装置１４には、携帯電話機１２のＩＤコードがＥＥＰＲＯＭ１４０ｃに書き込まれている。なおＥＥＰＲＯＭ１４０ｃに代えて、ＩＤコードを記憶した専用ＩＣを用いてもよい。また、ここでは識別情報としてＩＤコードを付与しているが、ＩＤコードに代えていわゆるＭＡＣアドレスを用いてもよい。
【００４８】
オプションコードは、ＩＤコードとは別に携帯電話機１２に通知するべき追加の情報を表しており、例えばバッテリ１４８の残量や、ＣＰＵ１４０の処理エラーに対応するコードである。
【００４９】
ＲＯＭ１４０ａは、エントリー信号の送信を制御する通信プログラムを格納している。ＣＰＵ１４０は、ＲＯＭ１４０ａに格納されている通信プログラムを読み出してこれを実行する。またＣＰＵ１４０は、通信プログラムを実行する際にＥＥＰＲＯＭ１４０ｃからＩＤコード及びオプションコードを読み出し、これらを含めた送信フレームを生成する。
【００５０】
またタイマ回路１４４は、ＣＰＵ１４０の制御によって起動時からの経過時間を計測する機能を有する。なおタイマ回路１４４は、ＣＰＵ１４０に内蔵されるタイマで代用されるものであってもよい。
【００５１】
携帯電話機１２には、システムモジュール１２ｂが内蔵されている。このシステムモジュール１２ｂは、置き忘れ対策システム１０において携帯電話機１２を警告動作装置として機能させるための組み込みモジュールである。システムモジュール１２ｂは、例えば携帯電話機１２の一部分となる基板モジュールとして内蔵されている態様でもよいし、あるいは独立した１つの装置として内蔵されている態様であってもよい。
【００５２】
システムモジュール１２ｂもまた、ＣＰＵ１２０、通信ユニット１２２及びタイマ回路１２４が内蔵されており、通信ユニット１２２には内蔵型のアンテナ１２６が付属している。同様にＣＰＵ１２０は、図示しないＣＰＵコアとともにＲＯＭ１２０ａ、ＲＡＭ１２０ｂ、ＥＥＰＲＯＭ１２０ｃ等の半導体メモリを内蔵している。
【００５３】
ＲＯＭ１２０ａには通信プログラムが格納されており、ＣＰＵ１２０は、ＲＯＭ１２０ａに格納されている通信プログラムを読み出してこれを実行する。また通信ユニット１２２はＣＰＵ１２０の制御に基づいて動作し、ここで受信したエントリー信号を復調する。ＣＰＵ１２０は通信プログラムの実行に伴い、復調したエントリー信号からＩＤコード及びオプションコードを復号するデコーダとしても機能する。
【００５４】
ＥＥＰＲＯＭ１２０ｃには、携帯電話機１２に固有のＩＤコード（自己の識別情報）や警告ファンクションに関する情報が登録されている。ＣＰＵ１２０は通信プログラムの実行に伴い、復号したＩＤコードが携帯電話機１２に固有のＩＤコードに一致するか否かを判断し、その結果に基づいて登録された警告ファンクションに応じた処理を実行する。この警告ファンクションは、上記のキーロック機能や警告音の出力、バイブレータの作動、ＬＥＤの点灯・点滅等による警告動作を実行する旨の指示や、警告動作を解除する旨の指示である。
【００５５】
システムモジュール１２ｂにはインタフェース１２８が装備されており、ＣＰＵ１２０による警告動作の実行又は解除の指示は、インタフェース１２８を通じて携帯電話機１２の本体部１３０に転送される。携帯電話機１２の本体部１３０は、携帯電話機１２の動作を統括的に制御する本体ＣＰＵ１３２を有するほか、基本的な機能要素としての通信機能部１３４、ディスプレイ駆動部１３６、キー操作受付部１３８、スピーカ駆動部１９０、ＬＥＤ駆動部１９２、バイブレータ駆動部１９４及び電源部１９６を有している。ＣＰＵ１２０からの指示を本体部１３０の本体ＣＰＵ１３２が受け取ると、これに基づいて本体ＣＰＵ１３２がキー操作受付部１３８、スピーカ駆動部１９０、ＬＥＤ駆動部１９２又はバイブレータ駆動部１９４の機能を制御して警告動作を実行させる。
【００５６】
なお、本体部１３０の構成は公知のものを適用できるため、ここでは概要のみを説明する。すなわち、通信機能部１３４は、携帯電話機１２において音声通話やパケット通信を行う機能を実現するものである。またディスプレイ駆動部１３６は、上記の表示画面１２ａにて各種の文字情報や画像を表示する機能を実現するものである。
【００５７】
キー操作受付部１３８は、図示しないユーザインタフェースを通じてキー操作を受け付け、キー操作による割込信号を本体ＣＰＵ１３２に認識させる機能を実現するものである。スピーカ駆動部１９０は、図示しないスピーカを駆動して通話音声を出力させたり、あるいは着信音を出力させたりする機能を実現するものである。
【００５８】
またＬＥＤ駆動部１９２は、例えば図示しない着信通知用ＬＥＤを点灯又は点滅させる機能を実現するものである。そしてバイブレータ駆動部１９４は、図示しない振動モータを駆動して、携帯電話機１２を振動させる機能を実現するものである。なお電源部１９６は、図示しないバッテリから本体部１３０及びシステムモジュール１２ｂに必要な電力を供給するほか、バッテリの充電状態を監視している。
【００５９】
また本体ＣＰＵ１３２は、上記の警告ファンクションに関する制御プログラムを実行する。この制御プログラムでは、システムモジュール１２ｂのＣＰＵ１２０から警告動作を解除する旨の通知（指示）があった場合、キー操作受付部１３８を通常に機能させることで、携帯電話機１２においてユーザによるキー操作を有効化する処理が行われる。これに対し、警告動作を実行する旨の通知（指示）があると、キー操作受付部１３８の機能を停止させ、キー操作をロック（無効化）する処理が行われる。
【００６０】
図３は、通信ユニット１２２，１４２の構成を示すブロック図である。ここではエントリー装置１４と携帯電話機１２とで共通構成の通信ユニット１２２，１４２を用いているが、両者を別々の構成としてもよい。
【００６１】
本実施形態では、エントリー装置１４から携帯電話機１２へエントリー信号を送信するだけの片方向通信だけでなく、携帯電話機１２からエントリー装置１４へ確認信号を送信する双方通信を行う。このため各通信ユニット１２２，１４２は、受信アンプ１６０（ローノイズアンプ）及び送信アンプ１６２（パワーアンプ）を備えており、これらとアンテナ１２６，１５０との接続がアンテナスイッチ１６４によって選択的に切り換え可能となっている。
【００６２】
通信ユニット１２２，１４２において受信回路は、例えば上記の受信アンプ１６０をはじめとして、ミキサ１６８及びＩＦバンドパスフィルタ１７０から構成されている。アンテナ１２６，１５０で受信された高周波信号は、ＲＦバンドパスフィルタ１６６でフィルタリングされた後、受信アンプ１６０で増幅されると、ミキサ１６８で局部発振器１７４からの出力とミキシングされ、さらにＩＦバンドパスフィルタ１７０でフィルタリングされる。通信ユニット１２２，１４２は復調回路１７２を備えており、受信回路で受信された信号は、最終的に復調回路１７２で復調される。また復調された信号は、通信ユニット１２２，１４２から各ＣＰＵ１２０，１４０に出力される。
【００６３】
また、通信ユニット１２２，１４２は変調回路１８０及び制御ＩＣ１８２を備えており、この変調回路１８０は、制御ＩＣ１８２から出力される送信フレームを変調する。なお送信フレームは、ＣＰＵ１２０，１４０で生成されて制御ＩＣ１８２に転送される。通信ユニット１２２，１４２において送信回路は、ミキサ１７６及び送信アンプ１６２から構成されている。変調回路１８０によりベースバンドで変調された送信フレームは、ミキサ１７６で高周波バンドに引き上げられる。そして、高周波信号が送信アンプ１６２で増幅されると、ＲＦバンドパスフィルタ１６６を介してアンテナ１２６，１５０から送信される。
【００６４】
制御ＩＣ１８２には、ＣＰＵ１４０で生成された送信フレームの他、通信ユニット１２２，１４２に対する各種の制御信号が各ＣＰＵ１２０，１４０から入力される。制御ＩＣ１８２は、入力された制御信号に基づいて受信アンプ１６０や送信アンプ１６２の基準電圧を調整し、通信ユニット１２２，１４２として受信回路の感度を調整したり、送信回路の出力を調整したりすることができる。
【００６５】
図４は、エントリー信号の送信フレーム２０を概念的に示す図である。この送信フレーム２０は、先頭のスタートビット２０ａと末尾のストップビット２０ｄとの間に、ＩＤコード２０ｂ及びオプションコード２０ｃが挟み込まれたフレーム構成となっている。エントリー装置１４の通信ユニット１４２は、ＣＰＵ１４０で生成された送信フレーム２０を上記の変調回路１８０で変調し、この変調した送信フレーム２０で構成されたエントリー信号をアンテナ１２６から送信する。
【００６６】
次に、実際の置き忘れ対策システム１０及びその警告動作装置の動作について、いくつかの例を挙げて説明する。
【００６７】
＜第１動作例＞
第１動作例では、エントリー装置１４の通信ユニット１４２から通常の通信帯域幅で上記の送信フレーム２０を変調して送信し、これを携帯電話機１２側の通信ユニット１２２が受信し、変調する態様である。このような片方向通信の態様では、エントリー信号を受信する携帯電話機１２側でＩＤコードを復号できない場合、警告動作装置としての機能を動作させる必要が生じる。
【００６８】
図５は、携帯電話機１２側のＣＰＵ１２０が実行する通信制御処理（１）のフローチャートである。この通信制御処理（１）は、ＣＰＵ１２０が実行する通信プログラムの一部（サブルーチン）として実行されており、ＣＰＵ１２０は通信プログラムの中で図５の通信制御処理（１）を実行する。以下、各手順に沿って説明する。
【００６９】
ステップＳ１０：先ずＣＰＵ１４０は、通信ユニット１２２において現在の受信感度を標準（以下、「標準感度状態」と称する。）に調整しているか否かを確認する。置き忘れ対策システム１０において、携帯電話機１２とエントリー装置１４との間で定常的に安定した通信状態が確立されている場合、ＣＰＵ１２０は通信ユニット１２２において受信回路を標準感度状態に調整している（ステップＳ１０：Ｙｅｓ）。したがってＣＰＵ１２０は、次にステップＳ１２を実行する。
【００７０】
ステップＳ１２：ＣＰＵ１２０は、通信ユニット１２２の復調回路１７２で復調されたエントリー信号からＩＤコードを復号できたか否かを判断する。正常にＩＤコードの復号に成功した場合（Ｙｅｓ）、ＣＰＵ１２０はひとまず通信制御処理（１）を終了して通信プログラムのメインルーチンに復帰する（リターン）。
【００７１】
以上の手順は、ユーザが携帯電話機１２とエントリー装置１４とを互いに近接させた状態で使用している場合の例である。これに対し、ユーザが携帯電話機１２を置き忘れ、エントリー信号の受信圏外となった場合は以下の手順が実行される。
【００７２】
ステップＳ１２：携帯電話機１２側では通信ユニット１２２でエントリー信号を正常に受信できないため、ＣＰＵ１２０はＩＤコードを正常に復号することができなくなる（Ｎｏ）。したがって、ＣＰＵ１２０は次にステップＳ１４を実行する。
【００７３】
ステップＳ１４：ＣＰＵ１２０は、既にタイマ回路１４４で「タイマＡ」をカウント中であるか否かを判断する。この時点では未だ「タイマＡ」が起動していないので（Ｎｏ）、ＣＰＵ１２０はさらにステップＳ１６に進む。なお「タイマＡ」は、起動してから所定時間Ａ（例えば数秒〜数十秒）の経過を計測するタイマ機能の呼称である。
【００７４】
ステップＳ１６：ＣＰＵ１２０は、上記の「タイマＡ」を起動する。具体的には、ＣＰＵ１２０はタイマ回路１４４において所定時間Ａに対応する読み書き用レジスタの値をタイマカウンタにロードし、その後、タイマ回路１４４のクロック信号に応じてタイマカウンタをデクリメントする。
【００７５】
ステップＳ１８：次にＣＰＵ１２０は、先のステップＳ１６で起動した「タイマＡ」がカウントアップしたか否かを確認する。現時点で未だ起動から所定時間Ａが経過しておらず、タイマカウンタの値が０になっていなければ（Ｎｏ）、ＣＰＵ１２０はステップＳ１２に戻る。
【００７６】
なお、ＣＰＵ１２０がステップＳ１２に戻り、そこでＩＤコードの復号に成功したと判断した場合（Ｙｅｓ）、上記のようにＣＰＵ１２０は通信制御処理（１）を終了して通信プログラムのメインルーチンに復帰する。これに対し、依然としてＩＤコードを復号できなかった場合（ステップＳ１２：Ｎｏ）、ＣＰＵ１２０はステップＳ１４を実行する。この場合、ステップＳ１４では既に「タイマＡ」がカウント中であるので（Ｙｅｓ）、ＣＰＵ１２０はステップＳ１６を迂回してステップＳ１８に進む。
【００７７】
「タイマＡ」の起動後、ＩＤコードを復号できないまま所定時間Ａが経過すると、ＣＰＵ１２０はステップＳ１８で「タイマＡ」がカウントアップしたと判断する（Ｙｅｓ）。この場合、次にＣＰＵ１２０はステップＳ２０を実行する。
【００７８】
ステップＳ２０：ＣＰＵ１２０は、通信ユニット１２２の制御ＩＣ１８２に対して制御信号を出力し、受信回路の感度を標準よりも高くする処理を行う。これに伴い、通信ユニット１２２の制御ＩＣ１８２は、例えば受信アンプ１６０の基準電圧を高くして電流閾値を最低まで引き下げ、微弱な電波でも受信可能な最高感度（以下、「高感度状態」と称する。）に調整する。なお、ここでは高感度状態で受信回路が最高感度に調整されるものとしているが、常に最高感度まで引き上げる必要はない。
【００７９】
ＣＰＵ１２０は受信回路を高感度状態に調整すると、ひとまず通信制御処理（１）を終了してメインルーチンに復帰する。そして、再度、ＣＰＵ１２０は最初から通信制御処理（１）を繰り返して実行し、引き続きエントリー信号の受信動作を継続してＩＤコードの復号を試みる。この過程で、ＣＰＵ１２０はステップＳ１０での判断（Ｎｏ）を経てステップＳ２２に進む。
【００８０】
ステップＳ２２：ＣＰＵ１２０は、通信ユニット１２２において現在の受信感度を最大に調整しているか否かを確認する。この時点で既に受信回路を高感度状態に調整しているため（Ｙｅｓ）、次にＣＰＵ１２０はステップＳ２４を実行する。
【００８１】
ステップＳ２４：ＣＰＵ１２０は、通信ユニット１２２の復調回路１７２で復調されたエントリー信号からＩＤコードを復号できたか否かを判断する。この場合、受信回路を高感度状態に調整しているため、標準感度状態では受信できない程度の微弱な電波でも受信できる可能性が高い。それでもなお、ＩＤコードを復号できなかった場合（Ｎｏ）、ＣＰＵ１２０は次にステップＳ２６を実行する。
【００８２】
ステップＳ２６：ＣＰＵ１２０は、既にタイマ回路１４４で「タイマＢ」をカウント中であるか否かを判断する。この時点では未だ「タイマＢ」が起動していないので（Ｎｏ）、ＣＰＵ１２０はさらにステップＳ２８に進む。なお「タイマＢ」は、起動してから規定時間Ｂ（例えば数秒〜数十秒）の経過を計測するタイマ機能の呼称である。
【００８３】
ステップＳ２８：ＣＰＵ１２０は、上記の「タイマＢ」を起動する。この場合、ＣＰＵ１２０はタイマ回路１４４において規定時間Ｂ（所定時間Ａとは別のもの）に対応するレジスタの値をタイマカウンタにロードし、その後、タイマ回路１４４のクロック信号に応じてタイマカウンタをデクリメントする。
【００８４】
ステップＳ３０：次にＣＰＵ１２０は、先のステップＳ２８で起動した「タイマＢ」がカウントアップしたか否かを確認する。現時点で未だ起動から規定時間Ｂが経過しておらず、タイマカウンタの値が０になっていなければ（Ｎｏ）、ＣＰＵ１２０はステップＳ２４に戻る。
【００８５】
「タイマＢ」の起動後、ＩＤコードを復号できないまま規定時間Ｂが経過すると、ＣＰＵ１２０はステップＳ３０で「タイマＢ」がカウントアップしたと判断する（Ｙｅｓ）。この場合、次にＣＰＵ１２０はステップＳ３２を実行する。
【００８６】
ステップＳ３２：ＣＰＵ１２０は、通信ユニット１２２の制御ＩＣ１８２に対して制御信号を出力し、受信回路の感度を標準よりも低くする処理を行う。これに伴い、通信ユニット１２２の制御ＩＣ１８２は、例えば受信アンプ１６０の基準電圧を低くして電流閾値を最大まで引き上げ、よほどの強い電波以外は受信しない最低感度（以下、「低感度状態」と称する。）に調整する。なお、ここでは低感度状態で受信回路が最低感度に調整されるものとしているが、常に最低感度まで引き下げる必要はない。
【００８７】
ＣＰＵ１２０は受信回路を低感度状態に調整すると、ここで通信制御処理（１）を終了してメインルーチンに復帰するが、この場合もＣＰＵ１２０は、最初から通信制御処理（１）を繰り返して実行し、引き続きエントリー信号の受信動作を継続してＩＤコードの復号を試みる。この過程で、ＣＰＵ１２０はステップＳ１０及びステップＳ２２での判断（いずれもＮｏ）を経てステップＳ３４に進む。
【００８８】
ステップＳ３４：ＣＰＵ１２０は、低感度状態でＩＤコードの復号に成功したか否かを判断する。実際に、ユーザが携帯電話機１２を置き忘れてしまった後であれば、低感度状態でエントリー信号を受信することは殆どなく、ＣＰＵ１２０はＩＤコードを復号できなかったと判断する（Ｎｏ）。この場合、ＣＰＵ１２０はここで通信制御処理（１）を抜け、通信プログラムのメインルーチンに復帰する。
【００８９】
図６は、上記の第１動作例を通じて行われる受信感度の調整パターンを示したタイミングチャートである。図６中、縦軸は例えば送信アンプ１６２の電流閾値を示し、横軸は時間の経過を示している。
【００９０】
図６中、ある時刻ｔ０の時点では、携帯電話機１２側で正常にエントリー信号を受信しており、ＣＰＵ１２０がＩＤコードを復号可能な状態である。この場合、上記のようにＣＰＵ１２０は受信回路を標準感度状態に調整している。
【００９１】
次に、ＣＰＵ１２０が時刻ｔ１でＩＤコードを復号できなかったと判断すると、ここからＣＰＵ１２０は所定時間Ａの計測を開始する。なお、受信回路は引き続き標準感度のまま維持されている。
【００９２】
この後、時刻ｔ２までＩＤコードを復号できない状態が所定時間Ａにわたり継続したと判断すると、ＣＰＵ１２０は時刻ｔ２で受信回路を標準感度状態から高感度状態に切り換える。また、合わせてＣＰＵ１２０は規定時間Ｂの計測を開始する。
【００９３】
さらに、時刻ｔ３までＩＤコードを復号できない状態が規定時間Ｂにわたり継続したと判断すると、ＣＰＵ１２０は時刻ｔ３で受信回路を高感度状態から低感度状態に切り換える。この場合、時刻ｔ３以降は低感度状態に維持されるので、それだけ通信ユニット１２２での消費電力が抑えられることになる。
【００９４】
次に図７は、携帯電話機１２側のＣＰＵ１２０が実行する警告動作制御処理のフローチャートである。ＣＰＵ１２０は、図５の通信制御処理（１）に続いて図７の警告動作制御処理を実行する。以下、各手順に沿って説明する。
【００９５】
ステップＳ４０：先ずＣＰＵ１２０は、ＥＥＰＲＯＭ１２０ｃに自己のＩＤコードが登録されているか否かをチェックする。ＣＰＵ１２０は、自己のＩＤコードが登録されていないか、もしくは消去されている場合（Ｎｏ）には警告動作制御処理を終了する。通常、出荷後はＩＤコードが設定されているため（Ｙｅｓ）、ＣＰＵ１２０はステップＳ４２に進む。
【００９６】
ステップＳ４２：次にＣＰＵ１２０は、警告動作機能の設定が有効（ＯＮ）であるか否かを確認し、設定が無効である場合（Ｎｏ）には警告動作制御処理を終了する。一方、設定が有効である場合（Ｙｅｓ）には、次にステップＳ４４を実行する。
【００９７】
ステップＳ４４：ＣＰＵ１２０は、エントリー信号に含まれているＩＤコードを既に復号済みであるか否かを確認する。置き忘れ対策システム１０において、携帯電話機１２とエントリー装置１４との間で定常的に安定した通信状態が確立されており、ＣＰＵ１２０が正常にＩＤコードの復号に成功していた場合（Ｙｅｓ）、次にステップＳ４６に進む。
【００９８】
ステップＳ４６：ＣＰＵ１２０は、復号したＩＤコードが自己のＩＤコードと一致するか否かを確認する。両ＩＤコードの一致を確認した場合（Ｙｅｓ）、ＣＰＵ１２０は続いてステップＳ４８を実行する。
【００９９】
ステップＳ４８：ＣＰＵ１２０は、警告動作を解除する旨の通知（指示）を行う。この解除通知は、上記のようにシステムモジュール１２ｂのインタフェース１２８を通じて本体ＣＰＵ１３２に転送される。この場合、上述したように本体ＣＰＵ１３２はキー操作受付部１３８を通常に機能させることで、携帯電話機１２においてユーザによるキー操作を有効化する処理を行う。
【０１００】
以上は、携帯電話機１２側でエントリー信号を正常に受信できており、ＣＰＵ１２０がＩＤコードの復号に成功していた場合の手順例である。これに対し、先のステップＳ４４でＣＰＵ１２０がＩＤコードを復号済みでない（Ｎｏ）と判断した場合、ＣＰＵ１２０は次にステップＳ５０を実行する。
【０１０１】
ステップＳ５０：ＣＰＵ１２０は、ここで受信回路が最低感度（低感度状態）であるか否かを確認する。この確認を行うのは、図５の通信制御処理（１）で低感度状態に切り換えられた場合に警告動作を実行するためである。すなわち、ＩＤコードを復号できない場合であっても、標準感度状態では直ちに警告動作を実行せず、図５の通信制御処理（１）で示したように、所定時間Ａが経過するまで待機する必要があるからである。同様に、高感度状態でＩＤコードを復号できなくても、規定時間Ｂが経過するまで通信を試みる必要があることから、受信回路を標準感度状態又は高感度状態に調整していた場合（Ｎｏ）、ＣＰＵ１２０はひとまず警告動作制御処理を終了する。
【０１０２】
これに対し、既に図５の通信制御処理（１）で低感度状態に切り換えられた後であれば（ステップＳ５０：Ｙｅｓ）、ＣＰＵ１２０は携帯電話機１２の置き忘れ対策として警告動作を実行するため、次にステップＳ５２に進む。
【０１０３】
ステップＳ５２：ＣＰＵ１２０は、警告動作の実行を通知（指示）する。この通知は、警告信号としてシステムモジュール１２ｃから出力される。本体ＣＰＵ１３２が警告信号を受け取ると、上述のようにキー操作受付部１３８の機能を停止させ、キー操作をロック（無効化）する処理を行う。
【０１０４】
また、キー操作のロックと合わせて、本体ＣＰＵ１３２は以下の警告動作を実行する処理を行ってもよい。上述のように、本体ＣＰＵ１３２はスピーカ駆動部１９０を動作させ、警告音を携帯電話機１２から出力させる処理を行う。あるいは、本体ＣＰＵ１３２はバイブレータ駆動部１９４を動作させ、携帯電話機１２を振動させる処理を行う。また本体ＣＰＵ１３２はＬＥＤ駆動部１９２を動作させ、ＬＥＤを点灯・点滅させる処理を行う。
【０１０５】
以上の処理を通じて、携帯電話機１２の警告動作によってユーザ（周囲の人物でもよい）に注意を喚起することができる。その結果、危うく携帯電話機１２を置き忘れかけたところで、ユーザ（又は周囲の人物）がこれに気付けば、携帯電話機１２の置き忘れを未然に防止することができる。
【０１０６】
それでもユーザが携帯電話機１２を置き忘れてしまった場合、既に警告動作によってキー操作のロック（無効化）が行われているため、携帯電話機１２が他人によって操作されてしまうことはない。
【０１０７】
また、ユーザが携帯電話機１２を置き忘れた後は、第１動作例で述べたように所定時間Ａ及び規定時間Ｂの経過後に受信回路の受信感度を低くし、消費電力を抑えることができる。これにより、長期間にわたりバッテリの消耗を抑え続けることができる。
【０１０８】
〔通信回復処理〕
ここで、図５の通信制御処理（１）で実行される通信回復処理（ステップＳ３６）について説明する。携帯電話機１２においてＩＤコードを復号できない状況は、ユーザが携帯電話機１２を置き忘れてしまった場合だけでなく、携帯電話機１２とエントリー装置１４との距離が通常時よりも離れた場合にも起こり得る。この場合、ユーザが携帯電話機１２のある場所から一時的に離れているだけであり、短時間内に近接位置へ戻り、エントリー装置１４との間で正常に通信が回復することがある。そこで本実施形態では、以下の２つの場合に通信回復処理（ステップＳ３６）を実行する。
【０１０９】
（１）先ず、標準感度状態でＩＤコードを復号できない状態が所定時間Ａだけ継続した場合を考える。この場合、ＣＰＵ１２０はステップＳ２０で受信回路を高感度状態に切り換えるので、規定時間Ｂで受信回路は可能な限りエントリー信号をキャッチしようと試みることになる。この間にユーザが携帯電話機１２の位置へ近づいてくると、受信回路が微弱な電波でも受信できることから、これを復調するとＣＰＵ１２０がＩＤコードを復号することができる。
【０１１０】
（２）次に、標準感度状態でＩＤコードを復号できない状態が所定時間Ａだけ継続し、受信回路を高感度状態に切り換えても、ＩＤコードを復号できない状態が規定時間Ｂだけ継続し、最終的に受信回路が低感度状態に切り換えられた場合を想定する。この状況下で、ユーザが携帯電話機１２を置き忘れたことに気付き、携帯電話機１２を取りに戻ってくると、エントリー装置１４との距離が極めて近接するので、受信回路が低感度状態であってもエントリー信号を受信する。この場合もＣＰＵ１２０はＩＤコードを復号することができる。
【０１１１】
上記（１），（２）の状況では、それぞれステップＳ２４，ステップＳ３４でＣＰＵ１２０はＩＤコードの復号に成功したことを確認する（Ｙｅｓ）。そしてＣＰＵ１２０は、次にステップＳ３６の通信回復処理を実行する。
【０１１２】
ステップＳ３６：この通信回復処理では、例えばＣＰＵ１２０はエントリー信号の信号強度（ＲＳＳＩ）を取得し、この信号強度が所定の閾値（標準感度状態でＩＤコードを復号できるレベル）を上回っていることを確認すると、受信回路を標準感度状態に復帰させる処理を行う。なお信号強度（ＲＳＳＩ）の取得は、通信ユニット１２２内に図示しないＲＳＳＩ監視部を設置することで行う。
【０１１３】
この後、ＣＰＵ１２０が通信制御処理（１）を繰り返し実行すると、ステップＳ１０で標準感度状態であることを確認し（Ｙｅｓ）、ステップＳ１２以降の手順に復帰することができる。この場合、ＣＰＵ１２０はＩＤコードの復号に成功したことを確認できるので（ステップＳ１２：Ｙｅｓ）、ここでＣＰＵ１２０は通信制御処理（１）を終了する。そしてＣＰＵ１２０は、上述した図７の警告動作制御処理において、復号したＩＤコードと自己のＩＤコードが一致することを確認すると（ステップＳ４６：Ｙｅｓ）、次のステップＳ４８で警告動作を解除する通知（指示）を行う。これにより、携帯電話機１２のキー操作ロックが解除され、ユーザによる通常のキー操作が可能となる。
【０１１４】
＜第２動作例＞
次に、第２動作例について説明する。先の第１動作例では、エントリー装置１４からエントリー信号を送信し、これを携帯電話機１２側の通信ユニット１２２で受信する片方向通信を対象としているが、加えて第２動作例では、携帯電話機１２からエントリー装置１４へ確認信号を送信する双方向通信を対象としている。また第１動作例では、携帯電話機１２側でＣＰＵ１２０が受信回路の感度を調整していたが、第２動作例では、エントリー装置１４側でＣＰＵ１４０が通信仕様そのものを変更するものである。以下、具体的に説明する。
【０１１５】
図８は、第２動作例で用いられる送信フレームの構造と通信帯域幅との関係を概念的に示した図である。
【０１１６】
図８中（Ａ）：置き忘れ対策システム１０において、携帯電話機１２とエントリー装置１４との間で定常的に安定した通信状態が確立されている場合、上述のように、エントリー装置１４のＣＰＵ１４０はフルスペック（ＩＤコード２０ｂ及びオプションコード２０ｃを含む態様）の送信フレーム２０を生成する。
【０１１７】
図８中（Ｂ）：フルスペックの送信フレーム２０で通信を行う場合、最大データ量を確保するため、キャリアには広い帯域幅を使用する。この場合の通信仕様は、図８中（Ｂ）に示される通常帯域幅となる。
【０１１８】
図８中（Ｃ）：携帯電話機１２とエントリー装置１４との間で通常の通信状態が確立できなくなり、エントリー装置１４が携帯電話機１２からの確認信号を受信できなくなった場合、エントリー装置１４のＣＰＵ１４０は送信フレーム２０をスペックダウンし、オプションコード２０ｃを含めない態様で送信フレーム２０’を生成する。この場合、通常時よりもデータの通信速度を落とすことができる。
【０１１９】
図８中（Ｄ）：スペックダウンした送信フレーム２０’を用いて通信を行う場合、データ量を最大に確保する必要がないため、キャリアは狭い帯域幅でよい。このため送信フレーム２０’を送信する場合の通信仕様は、図８中（Ｄ）に示されるように通常よりも狭い帯域幅となる。この場合、実際には同じ標準感度状態で通信を行っていても、通信信号の電界強度が相対的に高まることから、置き忘れ対策システム１０全体として見かけ上の受信感度を向上することができる。
【０１２０】
なお、実際の通信では、エントリー装置１４と携帯電話機１２の双方が同調して通信仕様を変更する必要がある。このため携帯電話機１２のＣＰＵ１２０と、エントリー装置１４のＣＰＵ１４０とは、それぞれ以下の手順で通信制御を実行する。
【０１２１】
（１）エントリー装置１４からＩＤコードを含むエントリー信号を送信する。携帯電話機１２では、エントリー信号を受信してＩＤコードを復号できた場合、その旨を表す確認信号を送信する。置き忘れ対策システム１０において正常な通信状態が確立されていれば、携帯電話機１２側のＣＰＵ１２０ではＩＤコードを復号できたことを確認しており、一方、エントリー装置１４側のＣＰＵ１４０では確認信号を受信したことを確認している。
【０１２２】
（２）エントリー装置１４と携帯電話機１２との距離が大きくなり、互いに通信不能になると、携帯電話機１２側のＣＰＵ１２０はＩＤコードを復号できないと判断し、上述した「タイマＡ」を起動する。また、ＩＤコードを復号できない場合、携帯電話機１２側のＣＰＵ１２０は確認信号の送信を停止させる処理を実行する。
【０１２３】
（３）一方、エントリー装置１４側で携帯電話機１２からの確認信号が受信できなくなると、ＣＰＵ１４０は「タイマＡ」を起動し、所定時間Ａの経過をカウントする。このためエントリー装置１４側のＣＰＵ１４０と携帯電話機１２側のＣＰＵ１２０とは、略同時に「タイマＡ」を起動することになる。なお、この間もエントリー装置１４は、引き続き通常の通信帯域幅でエントリー信号を送信している。
【０１２４】
（４）確認信号を受信できない状態で所定時間Ａが経過すると、エントリー装置１４側のＣＰＵ１４０は、通常よりもスペックダウンさせた送信フレーム２０’を生成し、通信帯域幅を通常よりも狭くする。一方、携帯電話機１２側のＣＰＵ１２０でも、所定時間Ａの経過後に通信帯域幅を通常よりも狭くする。この結果、置き忘れ対策システム１０全体として見かけ上の受信感度が向上する。
【０１２５】
（５）以上のようにＣＰＵ１２０，１４０がそれぞれ通信帯域幅を狭めると、両者は略同時に「タイマＢ」を起動する。なお、この間に通信状態が回復すると、両ＣＰＵ１２０，１４０は上述した通信回復処理を実行する。
【０１２６】
（６）これに対し、確認信号を受信できない状態で規定時間Ｂが経過すると、エントリー装置１４側のＣＰＵ１４０は、通信帯域幅を通常に戻す処理を行う。一方、携帯電話機１２側のＣＰＵ１２０でも、規定時間Ｂの経過後に通信帯域幅を通常に戻す処理を行う。この結果、置き忘れ対策システム１０全体として見かけ上の受信感度が低下することになる。なお、このとき双方で通信そのものを停止させる処理を行ってもよい。
【０１２７】
以上の第２動作例によれば、エントリー装置１４と携帯電話機１２との双方向通信が正常に行われなくなると、互いの通信仕様を変えることにより、受信回路を調整することなく見かけ上の受信感度を向上することができる。このため、規定時間Ｂ内はエントリー装置１４と携帯電話機１２の双方で受信回路での消費電力を抑えることができる。また、最終的に双方向の通信が正常に回復しない場合、互いの通信動作そのものを停止することで、それ以上の電力消費を回避することができる。
【０１２８】
＜第３動作例＞
さらに、第３動作例について説明する。最初に挙げた第１動作例では、携帯電話機１２側でエントリー信号を受信（ＩＤコードを復号）できなくなると、携帯電話機１２側の受信感度を向上して通信を試みている。また第２動作例では、双方向通信を前提としつつ、携帯電話機１２側で見かけ上の受信感度を向上している。以下の第３動作例では、エントリー装置１４と携帯電話機１２の双方向通信が正常に行われなくなると、エントリー装置１４側の送信出力を向上することで通信を試みるものである。以下、具体的に説明する。
【０１２９】
図９は、エントリー装置１４側のＣＰＵ１４０が実行する通信制御処理（２）のフローチャートである。以下、各手順に沿って説明する。
【０１３０】
ステップＳ６０：先ずＣＰＵ１４０は、通信ユニット１４２において現在の送信出力を標準（以下、「標準出力状態」と称する。）に調整しているか否かを確認する。置き忘れ対策システム１０において、携帯電話機１２とエントリー装置１４との間で定常的に安定した双方向の通信状態が確立されており、エントリー装置１４で携帯電話機１２からの確認信号を受信できている場合、ＣＰＵ１４０は通信ユニット１４２において送信回路を標準出力状態に調整している（ステップＳ６０：Ｙｅｓ）。したがってＣＰＵ１４０は、次にステップＳ６２を実行する。
【０１３１】
ステップＳ６２：ＣＰＵ１４０は、通信ユニット１４２の受信回路で確認信号を受信できたか否かを判断する。正常に確認信号を受信できた場合（Ｙｅｓ）、ＣＰＵ１４０はひとまず通信制御処理（２）を終了して通信プログラムのメインルーチンに復帰する。
【０１３２】
以上の手順は、ユーザが携帯電話機１２とエントリー装置１４とを互いに近接させた状態で使用している場合の例である。これに対し、ユーザが携帯電話機１２を置き忘れ、双方がエントリー信号又は確認信号の受信圏外となった場合は以下の手順が実行される。
【０１３３】
ステップＳ６２：携帯電話機１２側では通信ユニット１２２でエントリー信号を正常に受信できないため、ＣＰＵ１２０はＩＤコードを正常に復号することができなくなる。その結果、携帯電話機１２からは確認信号が送信されなくなるので、エントリー装置１４では確認信号を受信することができない（Ｎｏ）。したがって、ＣＰＵ１４０は次にステップＳ６４を実行する。
【０１３４】
ステップＳ６４：ＣＰＵ１４０は、既にタイマ回路１４４で「タイマＡ」をカウント中であるか否かを判断する。この時点では未だ「タイマＡ」が起動していないので（Ｎｏ）、ＣＰＵ１４０はさらにステップＳ６６に進む。なお「タイマＡ」は、第１動作例で挙げたものと同様である。
【０１３５】
ステップＳ６６：ＣＰＵ１４０は、上記の「タイマＡ」を起動する。
ステップＳ６８：次にＣＰＵ１４０は、先のステップＳ６６で起動した「タイマＡ」がカウントアップしたか否かを確認する。現時点で未だ起動から所定時間Ａが経過しておらず、タイマカウンタの値が０になっていなければ（Ｎｏ）、ＣＰＵ１４０はステップＳ６２に戻る。
【０１３６】
なお、ＣＰＵ１４０がステップＳ６２に戻り、そこで確認信号を受信できたと判断した場合（Ｙｅｓ）、上記のようにＣＰＵ１４０は通信制御処理（２）を終了して通信プログラムのメインルーチンに復帰する。これに対し、依然として確認信号を受信できないと判断した場合（ステップＳ６２：Ｎｏ）、ＣＰＵ１４０はステップＳ６４を実行する。この場合、ステップＳ６４では既に「タイマＡ」がカウント中であるので（Ｙｅｓ）、ＣＰＵ１４０はステップＳ６６を迂回してステップＳ６８に進む。
【０１３７】
「タイマＡ」の起動後、エントリー装置１４で確認信号を受信できないまま所定時間Ａが経過すると、ＣＰＵ１４０はステップＳ６８で「タイマＡ」がカウントアップしたと判断する（Ｙｅｓ）。この場合、次にＣＰＵ１４０はステップＳ７０を実行する。
【０１３８】
ステップＳ７０：ＣＰＵ１４０は、通信ユニット１４２の制御ＩＣ１８２に対し、送信出力を標準よりも高く（最大化）する制御信号を出力する。これを受けて制御ＩＣ１８２は、送信回路の出力を最大（以下、「高出力状態」と称する。）に調整する。なお、ここでは出力を最大としているが、常に最大まで引き上げる必要はない。
【０１３９】
ＣＰＵ１４０は送信回路を高出力状態に調整すると、ひとまず通信制御処理（２）を終了する。そしてＣＰＵ１４０は、最初から通信制御処理（２）を繰り返して実行し、引き続き最大出力でエントリー信号の送信動作を継続し、携帯電話機１２からの確認信号の受信を試みる。この過程で、ＣＰＵ１４０はステップＳ６０での判断（Ｎｏ）を経てステップＳ７２に進む。
【０１４０】
ステップＳ７２：ＣＰＵ１４０は、通信ユニット１４２において現在の送信出力を最大に調整しているか否かを確認する。この時点で既に送信回路を高出力状態に調整しているため（Ｙｅｓ）、次にＣＰＵ１４０はステップＳ７４を実行する。
【０１４１】
ステップＳ７４：ＣＰＵ１４０は、あらためて確認信号を受信できたか否かを判断する。この場合、送信回路を高出力状態に調整しているため、携帯電話機１２側でエントリー信号を受信できていれば、確認信号を受信できる可能性が高い。それでもなお、確認信号を受信できなかった場合（Ｎｏ）、ＣＰＵ１４０は次にステップＳ７６を実行する。
【０１４２】
ステップＳ７６：ＣＰＵ１４０は、既にタイマ回路１４４で「タイマＢ」をカウント中であるか否かを判断する。この時点では未だ「タイマＢ」が起動していないので（Ｎｏ）、ＣＰＵ１４０はさらにステップＳ７８に進む。なお「タイマＢ」は、第１動作例で挙げたものと同じである。
【０１４３】
ステップＳ７８：ＣＰＵ１４０は、上記の「タイマＢ」を起動する。
ステップＳ８０：次にＣＰＵ１４０は、先のステップＳ７８で起動した「タイマＢ」がカウントアップしたか否かを確認する。現時点で未だ起動から規定時間Ｂが経過しておらず、タイマカウンタの値が０になっていなければ（Ｎｏ）、ＣＰＵ１４０はステップＳ７４に戻る。
【０１４４】
「タイマＢ」の起動後、確認信号を受信できないまま規定時間Ｂが経過すると、ＣＰＵ１４０はステップＳ８０で「タイマＢ」がカウントアップしたと判断する（Ｙｅｓ）。この場合、次にＣＰＵ１４０はステップＳ８２を実行する。
【０１４５】
ステップＳ８２：ＣＰＵ１４０は、通信ユニット１４２の制御ＩＣ１８２に対して制御信号を出力し、送信回路の出力を標準よりも低くする処理を行う。これを受けて、制御ＩＣ１８２は送信回路の出力を最低（以下、「低出力状態」と称する。）に調整する。なお、ここでも常に最低出力まで引き下げる必要はない。
【０１４６】
ＣＰＵ１４０は送信回路を低出力状態に調整すると、ここで通信制御処理（２）を終了してメインルーチンに復帰するが、この場合もＣＰＵ１４０は、最初から通信制御処理（２）を繰り返して実行し、引き続き確認信号の受信動作を継続する。この過程で、ＣＰＵ１４０はステップＳ６０及びステップＳ７２での判断（いずれもＮｏ）を経てステップＳ８４に進む。
【０１４７】
ステップＳ８４：ＣＰＵ１４０は、低出力状態で確認信号を受信できたか否かを判断する。実際に、ユーザが携帯電話機１２を置き忘れてしまった後であれば、低出力状態で携帯電話機１２がエントリー信号を受信することは殆どないので、携帯電話機１２からの確認信号の送信も行われない。したがって、ＣＰＵ１４０は確認信号を受信できなかったと判断し（Ｎｏ）、ここで通信制御処理（２）を終了する。
【０１４８】
なお第３動作例においても、ユーザが置き忘れた（あるいは置き忘れかけた）携帯電話機１２に近づくと、ＣＰＵ１４０は通信回復処理（ステップＳ８６）を実行する。通信回復処理では、例えばＣＰＵ１４０は確認信号の信号強度（ＲＳＳＩ）を取得し、この信号強度が所定の閾値（標準的な感度で受信できるレベル）を上回っていることを確認すると、送信回路を標準出力状態に復帰させる処理を行う。
【０１４９】
この後、ＣＰＵ１４０が通信制御処理（２）を繰り返し実行すると、ステップＳ６０で標準出力状態であることを確認し（Ｙｅｓ）、ステップＳ６２以降の手順に復帰することができる。この場合、ＣＰＵ１４０は確認信号の受信に成功したことを確認できるので（ステップＳ６２：Ｙｅｓ）、ここでＣＰＵ１４０は通信制御処理（２）を終了する。
【０１５０】
上述した第３動作例によれば、エントリー装置１４と携帯電話機１２との双方向通信が正常に行われなくなると、先ずエントリー信号の送信出力を最大化し、携帯電話機１２側でエントリー信号を受信可能な状態に近付けようとする。それでもなお、携帯電話機１２からの確認信号を受信できなかった場合、送信出力を最低にして待機する。したがって、最終的にユーザが携帯電話機１２を置き忘れた場合、エントリー装置１４から延々と通常の出力でエントリー信号を送信し続けることがなく、それだけ消費電力を抑えることができる。
【０１５１】
〔履歴記録機能〕
上述した第２，第３動作例（双方向通信の場合）において、例えばエントリー装置１４に通信不能となった日付及び時刻を記録しておき、これを後から参照できる機能を設けることができる。例えば、エントリー装置１４は図示しない時計機能部及び日付時刻表示部（例えば液晶表示部等）、表示操作ボタン等を内蔵しており、そこからＣＰＵ１４０が現在の日付及び時刻（いわゆるタイムスタンプ）を適宜読み出し可能である。第２，第３動作例において、それぞれ最終的に通信不能になったとＣＰＵ１４０が判断すると、その時点で時計機能部から日付及び時刻の情報を取得し、これをＲＡＭ１４０ｂに記憶しておく。そして、後からユーザが適宜表示操作ボタンを操作すると、ＣＰＵ１４０がＲＡＭ１４０ｂに記憶した日付及び時刻を呼び出し、これを日付時刻表示部に表示させることができる。
【０１５２】
上記の履歴記録機能を備えていれば、ユーザがエントリー装置１４の日付時刻表示部を参照することで、後から携帯電話機１２を置き忘れた日時を特定することができる。これにより、自己の行動履歴から携帯電話機１２の置き忘れ場所を推測して、その後の対処（取りに戻る、あるいは忘れ物の届出をする等）をとることができる。なお、通信不能になっていた状態から通信を再開することができた場合、最後（直近）で通信不能となった日付及び時刻の履歴は不要となるため、ＣＰＵ１４０はＲＡＭ１４０ｂからその履歴を消去してもよい。
【０１５３】
本発明は上述した一実施形態に制約されることなく、種々に変形して実施可能である。例えば一実施形態の各構成は、その一部を省略したり、別の構成を任意に組み合わせたりすることができる。
【０１５４】
また、エントリー装置１４と携帯電話機１２との通信は、一定の時間間隔をおいて間欠的に行ってもよい。この場合、通信制御処理（１），（２）や警告動作制御処理は、時間の経過に伴って間欠的に到来する通信可能な時間帯に実行される。
【図面の簡単な説明】
【０１５５】
【図１】置き忘れ対策システムを構成する機器の組み合わせ例を示す外観図である。
【図２】携帯電話機及びエントリー装置の各構成例を示すブロック図である。
【図３】通信ユニットの構成を示すブロック図である。
【図４】エントリー信号の送信フレーム２０を概念的に示す図である。
【図５】携帯電話機側のＣＰＵが実行する通信制御処理（１）のフローチャートである。
【図６】第１動作例を通じて行われる受信感度の調整パターンを示したタイミングチャートである。
【図７】携帯電話機側のＣＰＵが実行する警告動作制御処理のフローチャートである。
【図８】第２動作例で用いられる送信フレームの構造と通信帯域幅との関係を概念的に示した図である。
【図９】エントリー装置側のＣＰＵが実行する通信制御処理（２）のフローチャートである。
【符号の説明】
【０１５６】
１０    置き忘れ対策システム
１２    携帯電話機
１４    エントリー装置
１２０，１４０  ＣＰＵ
１２２，１４２  通信ユニット
１２４，１４４  タイマ回路
１２６，１５０  アンテナ
１３８    キー操作受付部
１７２    復調回路
１８２    変調回路
【図１】
2009009197.tif 000003
【図２】
2009009197.tif 000004
【図３】
2009009197.tif 000005
【図４】
2009009197.tif 000006
【図５】
2009009197.tif 000007
【図６】
2009009197.tif 000008
【図７】
2009009197.tif 000009
【図８】
2009009197.tif 000010
【図９】
2009009197.tif 000011